(57)【要約】【課題】端子台に電線が挿し込まれる際に端子台を面で受ける構造を有する電源装置の提供を目的とする。【解決手段】電源装置１０は、電源回路４５０を構成する複数の電気部品が実装された基板４００と、基板４００が取り付けられた基台６００と、基板４００を覆うように基台６００に取り付けられた第１カバー１００及び第２カバー２００と、電線が挿し込まれる電線挿し込み孔３０２がされた端子台３００とを備える。第２カバー２００は、端子台３００が載せられた端子台搭載部２０２を備える。端子台３００は端子台搭載部２０２に２本のネジ１２で固定される。【選択図】図３
2018116882.tif 000002
【特許請求の範囲】
【請求項１】
複数の電気部品が実装された基板と、
前記基板が取り付けられた基台と、
電線が挿し込まれる電線挿し込み孔が形成された端子台と、
前記基板を覆うように前記基台に取り付けらており、前記端子台が固定されて載せられている端子台搭載部を有するカバーと
を備える電源装置。
【請求項２】
前記端子台搭載部は、平板状をなし、
前記カバーは、
前記平板状をなす前記端子台搭載部の縁における異なる位置から立ち上がる３つの側壁であって、互いに対向する第１の側壁及び第２の側壁と、前記縁において前記第１の側壁と前記第２の側壁との間から立ち上がる第３の側壁とを備える請求項１に記載の電源装置。
【請求項３】
前記第１の側壁と前記第２の側壁とのうち少なくとも一方は、
前記基台に固定されている請求項２に記載の電源装置。
【請求項４】
請求項１から請求項３のいずれか１項に記載の電源装置と、
前記電源装置によって点灯する灯具と
を備えた照明装置。
【発明の詳細な説明】
【技術分野】
【０００１】
この発明は、電源装置及びその電源装置を使用する照明装置に関する。
【背景技術】
【０００２】
従来より、略直方体形状をした電源装置の長手方向の一端に、端子台が設けられているものがある。
【０００３】
例えば、特許文献１に記載の電源装置は、基板と、基板が取り付けられている基台と、二面が開口したカバーと、端子台とを備えている。この電源装置では、基板とカバーが基台に取り付けれ、そして端子台はカバーの長手方向の一方の開口を塞ぐようにカバーに引っ掛けられる。
また、カバーは一体に形成されている。
【先行技術文献】
【特許文献】
【０００４】
【特許文献１】特開２０１６−９１７３８号公報
【発明の概要】
【発明が解決しようとする課題】
【０００５】
特許文献１の照明器具では、端子台は基板の長手方向で基板に隣接するように基台に設けられている。その為、基台は基板よりも長く形成しなくてはならず、電源装置は端子台の分だけ大型になり、また、大型化に伴いその分の材料費を要するという課題がある。
【０００６】
また、端子台は、カバーの長手方向の端部の開口を塞ぐように、カバーと基台に引っ掛けられて取り付けられる。端子台には電線を電源装置の長手方向へ挿し込む挿し込み孔（および解除孔）が形成されている。
その為、電線を挿し込んだとき、あるいは解除孔に対して電線の挿し込み方向に押圧して電線を解除する場合、電線の挿し込み方向あるいは解除孔への押圧方向への力により、端子台が取り付けられている相手側の取付部が変形する恐れがある。
また、端子台を取り付ける際に、カバーと基台とに引っ掛けるのは、端子台を取り付けにくいという課題がある。
【０００７】
本発明は、端子台が簡易に取り付けでき、また、端子台を強固に支持できる構成の電源装置の提供を目的とする。
【課題を解決するための手段】
【０００８】
この発明の電源装置は、
複数の電気部品が実装された基板と、
前記基板が取り付けられた基台と、
電線が挿し込まれる電線挿し込み孔が形成された端子台と、
前記基板を覆うように前記基台に取り付けらており、前記端子台が固定されて載せられている端子台搭載部を有するカバーと
を備えることを特徴とする。
【発明の効果】
【０００９】
本発明により、端子台が簡易に取り付けでき、また、端子台を強固に支持できる構成の電源装置の提供をすることができる。
【図面の簡単な説明】
【００１０】
【図１】実施の形態１の図で、照明装置１の電源装置１０と灯具２０を示す図。
【図２】実施の形態１の図で、電源装置１０の分解斜視図。
【図３】実施の形態１の図で、電源装置１０の別の分解斜視図。
【図４】実施の形態１の図で、前面部３１０が見える端子台３００の斜視図。
【図５】実施の形態１の図で、裏面部３２０が見える端子台３００の斜視図。
【図６】実施の形態１の図で、電源装置１０の６面図。
【図７】実施の形態１の図で、図６の（ｃ）の拡大図。
【図８】実施の形態１の図で、図７のＣ部の拡大図。
【図９】実施の形態１の図で、図６の（ｆ）の拡大図。
【発明を実施するための形態】
【００１１】
実施の形態１．
＊＊＊構成の説明＊＊＊
図１から図９を参照して実施の形態１を説明する。なお各図は実施の形態１に係る発明を説明するための模式的な図である。
図１は、実施の形態１の照明装置１を示す図である。
図２は、端子台３００の内部配線用孔３０３が見える方向の、電源装置１０の分解斜視図である。
図３は、端子台３００の電線挿し込み孔３０２が見える方向の、電源装置１０の分解斜視図である。
図４は、前面部３１０が見える端子台３００の斜視図であり、図３から抜き出した拡大図である。
図５は、裏面部３２０が見える端子台３００の斜視図であり、図２から抜き出した拡大図である。
図６は、電源装置１０の６面図であり、（Ｃ）はＡ−Ａ断面を示している。
図７は、図６の（ｃ）の拡大図である。
図８は、図７のＣ部の拡大図である。
図９は、図６の（ｆ）の拡大図である。
【００１２】
＜照明装置＞
図１のように、照明装置１は、電源装置１０と灯具２０とを備える。電源装置１０は灯具２０に電力を供給して灯具２０を点灯させる。
【００１３】
＜電源装置＞
図２及び図３ではＸＹＺ座標系を示している。Ｘ軸、Ｙ軸及びＺ軸は、それぞれ、電源装置１０の長さ方向、幅方向及び高さ方向である。電源装置１０は、第１カバー１００と、第２カバー２００と、端子台３００と、基板４００と、絶縁材５００と、基台６００とを備えている。
【００１４】
＜電源装置の組立方法＞
図３を参照して、電源装置１０の組み立て方法を説明する。
（１）まず、基台６００に絶縁材５００を配置したうえで、基台６００に基板４００を取り付ける。４つのネジ１１で基板４００を基台６００に取り付ける。基台６００に絶縁材５００を設置し、基板４００の４つのネジ孔１１ａのそれぞれにネジ１１を通し、４箇所の基板取付部６０４にネジ１１を締め込み、基板４００を基台６００に取り付ける。
（２）次に、基台６００に第２カバー２００を取り付ける。第２カバー２００の側面部２０５，側面部２０６を、それぞれ基台６００の側面部６０５，側面部６０６の外側に配置し、基台６００のネジ孔１３ｃと第２カバー２００のネジ孔１３ｄを連通させて、ネジ１３Ａをネジ孔１３ｃに締め込むことで第２カバー２００を基台６００に取り付ける。
（３）次に、第２カバー２００に端子台３００に取り付ける。端子台３００の図示していない２つの貫通孔のそれぞれにネジ１２を通して、それぞれのネジ１２を、第２カバー２００の背低天板２０１に形成されているネジ孔１２ａ，１２ｂに締め込む。
（４）最後に、基台６００に第１カバー１００を取り付ける。第１カバー１００の側面部１０５，１０６を、基台６００の側面部６０５，６０６の外側に配置し、基台６００のネジ孔１３ａと第１カバー１００のネジ孔１３ｂを連通させ、ネジ１３Ｂをネジ孔１３ａに締め込むことで第１カバー１００を基台６００に取り付ける。
【００１５】
＜カバー＞
図６の（ａ）のように、電源装置１０は、第１カバー１００と第２カバー２００とを備えており、第１カバー１００と第２カバー２００とは電源装置１０の全体のカバー１５０を構成する。つまり電源装置１０は、第１カバー１００と第２カバー２００との個々の２つの部品から構成される。カバー１５０は基板４００を覆うように基台６００に取り付けられる。
【００１６】
＜第１カバー＞
第１カバー１００は箱形状をなす。図３のように、第１カバー１００は、第１天板１０１、端子台支持部１０２、側面部１０５、側面部１０６及び側面部１０７を備えている。図２に示すａ，ｂ，ｃ，ｄが第１天板１０１である。図３に示すｂ，ｐ，ｑ，ｒ，ｓ，ｔ，ｕ，ｃが端子台支持部１０２における端子台支持面１０２ａである。側面部１０７には、出力用電線切り欠き１０３が形成されている。
【００１７】
＜第２カバー＞
第２カバー２００は、天板である背低天板２０１、正面部２０４、側面部２０５及び側面部２０６を備えている。背低天板２０１は端子台３００が載せられる端子台搭載部２０２である。端子台３００が載せられる端子台搭載部２０２の平面は端子台搭載面２０２ａである。背低天板２０１は端子台搭載部２０２でもあるので、以下では背低天板２０１の名称を使用する。
【００１８】
＜端子台＞
図４、図５のように。端子台３００は、電線挿し込み孔３０２が形成されて前面をなす前面部３１０と、前面部３１０の裏面となる裏面部３２０と、前面部３１０と裏面部３２０とに対する上面をなす上面部３３０と、側面部３４０と、側面部３５０とを有している。裏面部３２０には、内部配線用孔３０３が形成されている。上面部３３０には、図６の（ｃ）に示す押圧方向Ａに押圧された場合、電線挿し込み孔３０２に挿し込まれている電線の挿し込み状態が解除される解除ボタン３０１が配置されている。押圧方向Ａは、端子台搭載面２０２ａの法線の方向であり端子台搭載面２０２ａに近づく方向である。
【００１９】
＜基板＞
基板４００は、薄板の長方形の形状であり、複数の電気部品が実装されている。複数の電気部品のうち、第１天板１０１に対向する基板４００の領域には背高部品４０２が実装される。一方、背低天板２０１に対向する基板４００の領域には背低部品４０１が実装される。基板４００は灯具２０に電力を供給する出力電線４０４を備えている。基板４００に実装された複数の電気部品は電源回路４５０を構成する。
【００２０】
＜絶縁材＞
絶縁材５００は基台６００の内側形状に合った形状をなしており，例えばアルミ材である基台６００と、電源回路４５０が構成されている基板４００との間を絶縁する。
【００２１】
＜基台＞
基台６００には、絶縁材５００、基板４００、端子台３００が配置された第２カバー２００及び第１カバー１００が取り付けられる。基台６００は上記のように例えばアルミ材であり、電源回路４５０の熱を放熱する機能を有する。基台６００は、基台側底面部６０３、側面部６０５，６０６、基板４００が取り付けられる基板取付部６０４を備えている。また長手方向（Ｘ方向）の両端には脚部６０１及び脚部６０２が設けられている。
【００２２】
＜電源装置の主となる特徴＞
電源装置１０の特徴を説明する。電源装置１０の一つの主とする特徴は、端子台３００が天板１５１に配置されている点である。
図２、図３の（ｂ）のように、カバー１５０は、基板４００に対向する天板１５１を有している。端子台３００は、天板１５１を基板４００との間に介して、基板４００と対向するように天板１５１に配置されている。よって電源装置１０のＺ方向の長さが長くなることを抑制できる。
天板１５１は、他の領域よりも低い位置で基板４００と対向する一部の領域である背低天板２０１を有し、端子台３００は、背低天板２０１に配置されている。よって、電源装置１０が高くなることを抑制できる。
カバー１５０はＸ方向に延びる長手形状をなしている。図６の（ｂ）のように、カバー１５０は、長手形状における長手方向の一方の端部（Ｘ方向の端部）に、背低天板２０１が配置され、そこに端子台３００が載せられる。よって、端子台３００を電源装置１０の長手方向の端部に配置できるので、端子台３００への電線接続作業がやりやすい。なお、本実施の形態では背低天板２０１は長手方向の端部に配置しているが長手方向の途中に配置してもよい。長手方向の途中に配置し、その上に端子台３００を配置することで電源装置１０の大型化を抑制できる。
【００２３】
また、電源装置１０では、カバー１５０を、基板４００に対して位置の高い第１天板１０１を有する第１カバー１００と、基板４００に対して位置の低い背低天板２０１を有する第２カバー２００とで構成している。
つまり、図２、図３のように、カバー１５０は、天板１５１のうち背低天板２０１以外の部分をなす第１天板１０１を有する第１カバー１００と、背低天板２０１を有する第２カバー２００との、少なくとも２つの個別の部品から構成されている。よって、複雑な加工が不要となる。
図７のように、基板４００において背低天板２０１に対向する領域に実装された電気部品のうち最も背が高い電気部品４０１ａは、基板４００において背低天板２０１に対向しない領域（第１天板１０１に対向する領域）に実装された電気部品のうち最も背が高い電気部品４０２ａと比べて、背が低い。よって、基板４００ではこのような部品配置であるため、第２カバー２００に背低天板２０１を設けることが可能となる。
【００２４】
＜電源装置の主となるもう一つの特徴＞
電源装置の主となるもう一つの特徴は、端子台３００が、第２カバー２００により、固定的に支持されている点と、第１カバー１００の有する端子台支持部１０２である。これらについては以下のようである。
（１）電源装置１０の全体のカバ−１５０は、第１カバー１００と第２カバー２００とから成るが、端子台３００は第２カバー２００に配置されている。具体的には、端子台３００は第２カバー２００の背低天板２０１（端子台搭載部２０２）に、固定された状態で載せられている。つまり、図３を参照して説明したように、端子台３００は、２本のネジ１２によって背低天板２０１に固定され載せられている。よって、端子台３００を配置する際は背低天板２０１に載せて２本のネジ１２で止めるだけでよいので、取り付け相手となる箇所に引っ掛けること等は不要となり、端子台３００の設置は容易である。
また、図２、図８に示すように、背低天板２０１（端子台搭載部２０２）は平坦な平板状をなしている。そして、第２カバー２００は、正面部２０４、側面部２０５、側面部２０６を有する。正面部２０４、側面部２０５及び側面部２０６は、平板状をなす背低天板２０１の縁２１１（図３のｅ，ｆ，ｇ，ｈ）における異なる位置から立ち上がる３つの側壁である。図２に示すように、第１の側壁９１である側面部２０５と、第２の側壁９２である側面部２０６とは対向している。第３の側壁９３である正面部は縁２１１において側面部２０５と側面部２０６との間から立ち上がる。側面部２０５との側面部２０６との少なくとも一方は、基台６００に対して固定される。本実施の形態では側面部２０５がネジ１３Ａで固定される。
（２）図８のように、正面部２０４は脚部６０２の立上り部６０２ａと対向しており、端子台３００において電線が挿し込み方向Ｂに挿し込まれた際に、正面部２０４が立上り部６０２ａに当たる。よって、電線を挿し込む際の力を立上り部６０２ａが受けることができる。
（３）解除ボタン３０１が押圧方向Ａに押し圧された際には押圧力を背低天板２０１が受けるが、背低天板２０１の縁には正面部２０４、側面部２０５及び側面部２０６が形成されている。そして側面部２０５はネジ１３Ａで基台６００に固定されているので、端子台３００は押圧力に対して強固に配置されている。
また縁２１１において側面部２０５と側面部２０６との間に正面部２０４が形成されているので、正面部２０４は、押圧力がかかった際に背低天板２０１が凹む変形を防止する補強材の機能を有する。
（４）端子台支持部１０２の端子台支持面１０２ａは、端子台３００の電線挿し込み孔３０２に電線が挿し込み方向Ｂに挿し込まれる場合に、裏面部３２０と当たって端子台３００を支持する。電線が挿し込み方向Ｂに挿し込まれる場合、本実施の形態では裏面部３２０のリブ３２１が端子台支持面１０２ａに支持される。
（５）図９に示すように、側面図では、端子台支持面１０２ａの縁をなすｐ，ｑ，ｒ，ｓ，ｔ，ｕは端子台３００の裏面部３２０で覆い隠される。よって、縁をなすｐ，ｑ，ｒ，ｓ，ｔ，ｕは、破線範囲１５Ａと破線範囲１５Ｂとの間に隠れることになる。つまり、裏面部３２０で縁をなすｐ，ｑ，ｒ，ｓ，ｔ，ｕを隠すことで内部配線４０３を隠している。
【００２５】
＊＊＊実施の形態１の効果の説明＊＊＊
実施の形態１の効果をまとめると以下のようである。
（１）端子台３００は背低天板２０１上に設置されるので、電源装置１０の高さが高くなることを抑制できる。
（２）端子台３００は天板１５１（背低天板２０１）に載せられて配置されるので、電源装置１０の長さが長くなることを抑制できる。端子台３００では背低天板２０１と対向する基板４００の実装面に背低部品４０１が配置されている。端子台３００と背低部品４０１を接続する内部配線４０３は、背低部品４０１と背低天板２０１との間に配置される。
【００２６】
（３）端子台３００は、第２カバー２００の背低天板２０１（端子台搭載部２０２）に取り付けられる。端子台３００の裏面部３２０は、第１カバー１００の端子台支持面１０２ａに対向している。よって、電線挿し込み孔３０２に電線を挿し込むために、挿し込み方向Ｂに挿し込む力（図６の（ｃ））に対しては、端子台支持面１０２ａが端子台３００の裏面部３２０に当接して端子台３００を支持する。
（４）また、解除ボタン３０１を押圧方向Ａ（図６の（ｃ））へ押す押圧力に対しては、第２カバー２００の端子台搭載部２０２（背低天板２０１）及び正面部２０４、側面部２０５、側面部２０６が支持する。よって、電線解除の際に端子台３００はしっかり支持される。また、端子台３００が配置される第２カバー２００が変形することもない。
【００２７】
（５）電源装置１０は、基台６００に基板４００を取り付け、基台６００に第２カバー２００を取り付け、第２カバー２００に端子台３００に取り付け、基台６００に第１カバー１００を取り付け・・・の順番で組み立てる。内部配線４０３は第２カバー２００に端子台３００を取り付ける際に端子台３００に接続する。よって、基台６００に第１カバー１００を取り付ける際に、内部配線４０３をクランプする必要がない。
【００２８】
（６）電源装置１０としての一つのカバー１５０は、第１カバー１００と第２カバー２００との個々に独立した部品から構成されている。カバー１５０を第１カバー１００と第２カバー２００との２パーツにしていることで、複雑な曲げ加工をせずに電源装置１０のカバーを形成できる。
【００２９】
（７）基台側底面部６０３と基板４００は略同じ長さである。つまり基台６００と基板４００とは長手方向（Ｘ方向）の長さが略同じであり、電源装置１０では端子台３００を配置しても長さの点でも大型化しない。
基台６００には、素材にアルミニウムを使用する。第１カバー１００及び第２カバー２００は、素材にスチールを使用する。スチールを使用することでアルミを使用するに対してコストを低減できる。
【符号の説明】
【００３０】
Ａ  押圧方向、Ｂ  挿し込み方向、１  照明装置、１０  電源装置、１１，１２，１３Ａ，１３Ｂ  ネジ、１１ａ，１３ａ，１３ｂ，１３ｃ，１３ｄ  ネジ孔、１５Ａ，１５Ｂ  破線範囲、２０  灯具、１００  第１カバー、１０１  第１天板、１０２  端子台支持部、１０２ａ  端子台支持面、１０３  出力用電線切り欠き、１０５，１０６，１０７  側面部、１５０  カバー、１５１  天板、２００  第２カバー、２０１  背低天板、２０２  端子台搭載部、２０２ａ  端子台搭載面、２０４  正面部、２０５，２０６  側面部、２１１  縁、３００  端子台、３０１  解除ボタン、３０２  電線挿し込み孔、３０３  内部配線用孔、３１０  前面部、３２０  裏面部、３２１  リブ、３３０  上面部、３４０，３５０  側面部、４００  基板、４０１  背低部品、４０１ａ  電気部品、４０２  背高部品、４０２ａ  電気部品、４０３  内部配線、４０４  出力電線、４５０  電源回路、５００  絶縁材、６００  基台、６０１，６０２  脚部、６０２ａ  立上り部、６０３  基台側底面部、６０４  基板取付部、６０５，６０６  側面部。
【図１】
2018116882.tif 000003
【図２】
2018116882.tif 000004
【図３】
2018116882.tif 000005
【図４】
2018116882.tif 000006
【図５】
2018116882.tif 000007
【図６】
2018116882.tif 000008
【図７】
2018116882.tif 000009
【図８】
2018116882.tif 000010
【図９】
2018116882.tif 000011